(57)【要約】  本発明は、少なくとも１つの第１ピクセル化エレクトロルミネセンス光源（２１）を備えた第１モジュール（２）であって、第１解像度と第１水平方向角度幅とを有する第１ピクセル化部分ハイビーム（ＨＢ１）を生成可能である第１モジュール（２）と、第２ピクセル化エレクトロルミネセンス光源（３１）を備えた第２モジュール（３）であって、前記第１ピクセル化部分ハイビーム（ＨＢ１）の角度幅より小さい角度幅と前記第１ピクセル化第１部分ハイビーム（ＨＢ２）の解像度より高い解像度とを有する第２ピクセル化部分ハイビーム（ＨＢ２）を生成可能である第２モジュール（３）と、を備えた自動車両用の照明装置（１）に関する。前記ピクセル化エレクトロルミネセンス光源は、好適にはモノリシックである。
2021520604.tif 000002
【特許請求の範囲】
【請求項１】
‐  少なくとも１つの第１ピクセル化エレクトロルミネセンス光源（２１）を備えた第１モジュール（２）であって、第１解像度と第１水平方向角度幅とを有する第１ピクセル化部分ハイビーム（ＨＢ１）を生成可能である第１モジュール（２）と、
‐  第２ピクセル化エレクトロルミネセンス光源（３１）を備えた第２モジュール（３）であって、前記第１ピクセル化部分ハイビーム（ＨＢ１）の角度幅より小さい角度幅と前記第１ピクセル化第１部分ハイビーム（ＨＢ２）の解像度より高い解像度とを有する第２ピクセル化部分ハイビーム（ＨＢ２）を生成可能である第２モジュール（３）と
を備えた自動車両用の照明装置（１）。
【請求項２】
前記第１ピクセル化部分ハイビーム（ＨＢ１）および前記第２ピクセル化部分ハイビーム（ＨＢ２）のそれぞれが少なくとも４００個のピクセルを有するように、前記第１照明モジュール（２）および前記第２照明モジュール（３）は各々構成されている、請求項１に記載の照明装置（１）。
【請求項３】
前記第１ピクセル化部分ハイビーム（ＨＢ１）の各ピクセルが、１°より小さいか１°に等しい、好適には０．５°より小さいか０．５°に等しい横幅および／または高さを有するように、前記第１モジュール（２）は構成されている、請求項１または２に記載の照明装置（１）。
【請求項４】
前記第１ピクセル化部分ハイビーム（ＨＢ１）が、少なくとも４°に等しい鉛直方向幅と少なくとも２５°に等しい水平方向幅とを有するように、前記第１照明モジュール（２）は構成されている、請求項１から３のうちのいずれか一項に記載の照明装置（１）。
【請求項５】
前記第２ピクセル化部分ハイビーム（ＨＢ２）の各ピクセルが、０．５°より小さいか０．５°に等しい、好適には０．３°より小さいか０．３°に等しい横幅および／または高さを有するように、前記第２照明モジュール（３）は構成されている、請求項１から４のうちのいずれか一項に記載の照明装置（１）。
【請求項６】
前記第２ピクセル化部分ハイビーム（ＨＢ２）が、少なくとも２°に等しく最大で６°に等しい鉛直方向幅と、少なくとも８°に等しく最大で２０°に等しい水平方向幅とを有するように、前記第２照明モジュール（３）は構成されている、請求項１から５のうちのいずれか一項に記載の照明装置（１）。
【請求項７】
前記第１ピクセル化部分ハイビーム（ＨＢ１）と前記第２ピクセル化部分ハイビーム（ＨＢ２）とが少なくとも部分的に重なるように、前記照明装置（１）は構成されている、請求項１から６のうちのいずれか一項に記載の照明装置（１）。
【請求項８】
前記第１ピクセル化部分ハイビーム（ＨＢ１）と前記第２ピクセル化部分ハイビーム（ＨＢ２）とが並置されるように、前記照明装置（１）は構成されている、請求項１から６のうちのいずれか一項に記載の照明装置（１）。
【請求項９】
前記少なくとも１つの第１ピクセル化エレクトロルミネセンス光源（２１）および前記第２ピクセル化エレクトロルミネセンス光源（３１）は、同一サイズの発光面を有する基本エミッタを有し、前記第１モジュール（２）は第１光学投影システム（２２）を更に備えるとともに、前記第２モジュール（３）は第２光学投影システム（３２）を備え、前記第２ピクセル化部分ハイビーム（ＨＢ２）の解像度が前記第１ピクセル化部分ハイビーム（ＨＢ１）の解像度より高くなるように、前記第２光学投影システム（３２）の倍率は、前記第１光学投影システム（２２）の倍率より小さい、請求項１から８のうちのいずれか一項に記載の照明装置（１）。
【請求項１０】
前記第２ピクセル化エレクトロルミネセンス光源（３１）は基本エミッタを有し、前記基本エミッタの発光面は、前記第１ピクセル化エレクトロルミネセンス光源（２１）のものたちの（基本エミッタ）のもの（発光面）よりサイズが小さく、前記第１モジュール（２）は第１光学投影システム（２２）を更に備えるとともに、前記第２モジュール（３）は第２光学投影システム（３２）を備え、前記第２ピクセル化部分ハイビーム（ＨＢ２）の解像度が前記第１ピクセル化部分ハイビーム（ＨＢ１）の解像度より高くなるように、前記第２光学投影システムの倍率は、前記第１光学投影システム（２２）の倍率に等しいかこれより小さい、請求項１から８のうちのいずれか一項に記載の照明装置（１）。
【請求項１１】
前記第１ピクセル化エレクトロルミネセンス光源（２１）および／または前記第２ピクセル化エレクトロルミネセンス光源（３１）は矩形の発光面を有する、請求項１から１０のうちのいずれか一項に記載の照明装置（１）。
【請求項１２】
請求項１から１１のうちのいずれか一項に記載の少なくとも１つの照明装置（１）を備えた自動車両。
【発明の詳細な説明】
【技術分野】
【０００１】
本発明は、ピクセル化された光線（ピクセル化光線）を投射するための、少なくとも１つのピクセル化光源を有するヘッドライトまたはライトタイプの自動車両用照明装置、特に照明および／または信号装置に関する。
【背景技術】
【０００２】
このような自動車両用照明装置の分野における近年の開発により、照明装置に追加機能を設けることができるようになった。
【０００３】
これにより、照明装置が局所的な照明機能を発揮し得るピクセル化光線を生成することができる。例えば、パターンをシーンに投影することができる。このような機能は、アダプティブ照明、または「アダプティブ・ドライビング・ビーム」の頭文字であるＡＤＢの分野から知られている。グレアのないハイビームの形態での照明は、例えば、対向車に対応する領域を暗くしてこの他方のユーザを眩惑させないようにすると同時に、追い越すまたは後ろに続く車両の周囲を照明することからなることが知られている。また、ベンディング照明機能、またはＤＢＬ（「ダイナミック・ベンディング・ライト」の頭文字）も知られている。これは、例えばカーブや道路の交差点において車両が直進するのでない場合、シーンの照明領域を変更する機能である。
【０００４】
このようなピクセル化ビームを生成するために、ＤＭＤやＬＣＤスクリーン等の種々の技術が提案されている。しかしながら、それらのコストは現在でも非常に高く、大量流通が妨げられている。また、特許文献ＥＰ２７７２６８２号に開示されるように、照明の点で効率が依然として限定されており、広いピクセル化照明領域を提供するには、これらの技術を備えたモジュールの個数を増やす必要がある。
【０００５】
したがって、照明装置の価格を下げるように、例えば、特許文献ＥＰ２７７２６８２号は、ピクセル化ビームを、十分な範囲のハイビームをもたらす相補的な非ピクセル化ビームと組み合わせることにより、ピクセル化ビームを限定された範囲に制限することを提案している。
【発明の概要】
【０００６】
したがって、本発明の目的は、既知の解決策より経済的でありながらも、大きい水平方向範囲および高い解像度を有すると同時に十分な最大強度を有するピクセル化ハイビームを生成する自動車両用の照明装置を提案することである。
【０００７】
この点において、本発明の第１の主題は、
‐  少なくとも１つの第１ピクセル化エレクトロルミネセンス光源を備えた第１モジュールであって、第１解像度と第１水平方向角度幅とを有する第１ピクセル化部分ハイビームを生成可能である第１モジュールと、
‐  第２ピクセル化エレクトロルミネセンス光源を備えた第２モジュールであって、前記第１ピクセル化部分ハイビームのものより小さい角度幅と前記第１ピクセル化第１部分ハイビームのものより高い解像度とを有する第２ピクセル化部分ハイビームを生成可能である第２モジュールと、
を備えた自動車両用の照明装置である。
【０００８】
ピクセル化エレクトロルミネセンス光源を持つ２つのモジュールを有するとともに異なる解像度を有するこのような構成により、ピクセル化ハイビームが、十分な範囲に亘って、且つビームの一部において高い解像度を維持しつつ得られることを理解されたい。ビームの一部とは、具体的には、水平方向軸と鉛直方向軸との交点にある中央部分であって、１９９５年以降の全てのバージョンの規制、特にＲ１１２ＥＣＥにおいて定義されたハイビームの最大強度に対応する中央部分である。
【０００９】
また、このような解決策は、ＤＭＤまたはＬＣＤ部品と比較して特に経済的である。
【００１０】
第１および第２のピクセル化ビームの解像度は、これらのビームの幅に対する、ビームを形成するピクセルの個数および寸法により推定され得る。
【００１１】
好適には、前記第１ピクセル化部分ハイビームおよび前記第２ピクセル化部分ハイビームのそれぞれが少なくとも４００個のピクセルを有するように、前記第１照明モジュールおよび前記第２照明モジュールは各々構成される。
【００１２】
一実施形態において、第１ピクセル化部分ハイビームが少なくとも４００個のピクセル、更にまたは少なくとも１０００個のピクセル、更にまたは少なくとも２０００個のピクセルを有するように、第１照明モジュールは構成され得る。この第１ピクセル化ビームは、例えば、２０列および２０行のピクセル、特に３２列および３２行のピクセルを備え得る。有利には、第１ピクセル部分ハイビームは行より列が多く、このため、照明装置から２５ｍの測定スクリーンに投影された場合、高さより幅においてより広範囲に延びる。
【００１３】
有利には、前記第１ピクセル化部分ハイビームの各ピクセルが、１°以下の（１°より小さいか１°に等しい）横幅および／または高さ、特に０．５°以下の（０．５°より小さいか０．５°に等しい）横幅および／または高さを有するように、前記第１モジュールは構成され得る。
【００１４】
また有利には、前記第１ピクセル化部分ハイビームが少なくとも４°に等しい、好適には９°までの鉛直方向幅と、少なくとも２５°に等しい、好適には５０°までの水平方向幅とを有するように、前記第１照明モジュールは構成され得る。
【００１５】
有利には、前記第２ピクセル化部分ハイビームの各ピクセルが、０．５°以下（０．５°より小さいか０．５°に等しい）、好適には０．３°以下の（０．３°より小さいか０．３°に等しい）横幅および／または高さを有するように、前記第２照明モジュールは構成される。
【００１６】
また有利には、前記第２ピクセル化部分ハイビームが、少なくとも２°に等しく最大で６°に等しい鉛直方向幅と、少なくとも８°に等しく最大で２０°に等しい、好適には１２°の水平方向幅とを有するように、前記第２照明モジュールは構成される。
【００１７】
例えば、前記第１モジュールおよび前記第２モジュールのそれぞれは、
‐  マトリックスアレイに配置された複数の基本エミッタであって、それぞれが基本光ビームを発光するように選択的に作動され得る基本エミッタを備えたピクセル化エレクトロルミネセンス光源と、
‐  ピクセルの形態において前記基本光ビームのそれぞれを投射するための、前記光源に関連付けられた光学投影システムであって、ピクセルのセットが前記ピクセル化ビームを形成する光学投影システムと、
を備える。
【００１８】
有利には、ピクセル化ビームが、少なくとも２°に等しい鉛直方向幅と、少なくとも８°に等しい水平方向幅とを有するように、前記光学投影システムは構成される。これらの水平方向および鉛直方向幅により、ピクセル化ビームが、このピクセル化ビームにパターンを投影することによって道路の領域に投影されることが保証される。この道路の領域は、道路上で書写機能、具体的には地上マーク表示機能、運転支援機能、およびＧＰＳ情報投影機能、また更には光ビームのピクセル化を必要とするアダプティブ照明機能や特にグレアのないハイビーム機能、ダイナミックベンディング機能を実行するのに十分な大きさである。したがって、光学投影システムは、以下の光学部品、すなわち、レンズ、リフレクタ、ガイド、コリメータ、プリズムのうちの１つ、またはこれらの組み合わせを備え得る。
【００１９】
必要に応じて、ピクセル化光源は、少なくとも２０列および２０行の基本エミッタ、特に少なくとも３２の行および列の基本エミッタを備え得る。基本エミッタのこれらの最小列数および行数と、上述の鉛直方向および水平方向幅とを組み合わせることにより、１°以下（１°より小さいか１°に等しい）、または更に０．３°以下（０．３°より小さいか０．３°に等しい）の開口角を、各基本光ビームについて、これらのビームが光学投影システムにより投影されたときに得ることができる。このようにして、ピクセル化ビームが道路に投影されたとき、その高い解像度が得られる。これにより、道路の使用者および／またはこのように装備された車両のドライバーは、確実にピクセル化ビームに投影された前記パターンを良好に知覚できる。
【００２０】
有利には、２つの隣り合うピクセル、すなわち同一行または同一列上の２つの隣接するピクセルが連続するように、すなわちそれらの隣接する縁部同士が一致するように、基本エミッタと光学投影システムは構成される。
【００２１】
本発明の第１実施形態によれば、前記第１ピクセル化部分ハイビームと前記第２ピクセル化部分ハイビームとが少なくとも部分的に重なるように、前記照明装置は構成される。
【００２２】
１つの代替的な実施形態によれば、前記第１ピクセル化部分ハイビームと前記第２ピクセル化部分ハイビームとが並置されるように、前記照明装置は構成される。
【００２３】
本発明の一実施形態において、ピクセル化エレクトロルミネセンス光源は、エレクトロルミネセンス源からなるマトリックスアレイ（「ソリッドステート光源」と称される）である。ピクセル化エレクトロルミネセンス源は、少なくとも２列および２行のマトリックスアレイに配置された複数のエレクトロルミネセンス素子を備える。エレクトロルミネセンス素子の例には、発光ダイオードすなわちＬＥＤ、有機発光ダイオードすなわちＯＬＥＤ、またはポリマー発光ダイオードすなわちＰＬＥＤ、または更にマイクロＬＥＤが含まれる。
【００２４】
本発明の１つの好適な実施形態において、第１モジュールおよび／または第２モジュールからなるピクセル化エレクトロルミネセンス光源は、少なくとも２列×少なくとも２行に配置されたエレクロトルミネセンス素子の少なくとも１つのマトリックスアレイ（モノリシックアレイと称される）を備える。好適には、エレクトロルミネセンス源は、モノリシックマトリックスアレイとも称される、エレクトロルミネセンス素子のモノリシックマトリックスアレイからなる少なくとも１つのマトリックスアレイを備える。
【００２５】
モノリシックマトリックスアレイにおいて、エレクトロルミネセンス素子は、共通の基板から成長し、選択的に、個別に、またはエレクトロルミネセンス素子のサブセット毎に作動され得るように電気的に接続される。したがって、各エレクトロルミネセンス素子またはエレクトロルミネセンス素子のグループは、その材料に電気を供給されると光を発光することができる前記ピクセル化光源の基本エミッタのうちの１つを形成し得る。
【００２６】
エレクトロルミネセンス素子の種々の構成は、モノリシックマトリックスアレイの当該定義を満たし得る。但し、エレクトロルミネセンス素子が共通の基板に対して実質的に垂直な主延在寸法のうちの１つを有し、且つ、単数の、または電気的にグループ化された複数のエレクトロルミネセンス素子により形成される基本エミッタ同士の間の間隔が、印刷回路基板にはんだ付けされた平坦な正方形チップの既知の構成に与えられた間隔と比較して小さいことを条件とする。
【００２７】
基板は、主として半導体材料から作製され得る。基板は、単数または複数の更なる材料、例えば、非半導体材料を含み得る。
【００２８】
１ミリメートル未満寸法のこれらのエレクトロルミネセンス素子は、例えば、六角形の断面のロッドを形成するように基板から突出して配置される。エレクトロルミネセンスロッドは、基板の第１面上で生じる。本例において窒化ガリウム（ＧａＮ）を使用して形成された各エレクトロルミネセンスロッドは、本例においてシリコンや、本発明の文脈から逸脱することなく使用可能な他の材料、例えば炭化珪素から製造された基板から突出して、垂直または実質的に垂直に延びる。例示として、エレクトロルミネセンスロッドは、窒化アルミニウムおよび窒化ガリウムの合金（ＡｌＧａＮ）から、またはアルミニウム、インジウム、およびリン化ガリウムの合金（ＡｌＩｎＧａＰ）から製造され得る。各エレクトロルミネセンスロッドは、各ロッドの基部が基板の上面の平面に配置された状態で、その高さを規定する長手方向軸に沿って延びている。
【００２９】
同一のモノリシックマトリックスアレイのエレクトロルミネセンスロッドは、有利には同一形状および同一寸法を有する。それらは、端面、およびロッドの伸長軸に沿って延びる周壁によりそれぞれ画定されている。エレクトロルミネセンスロッドをドーピングして偏光処理すると、半導体源の出力部で得られる光は、主に周壁から発光する。光線は、端面からも出射し得ることを理解されたい。この結果、各エレクトロルミネセンスロッドは、単一の発光ダイオードとして機能するとともに、この源の光出力は、第一に存在するエレクトロルミネセントロッドの密度によって向上し、第二に周壁により規定される照明面であって、ロッドの全周および全高に亘って延びる照明面のサイズによって向上する。ロッドの高さは、２μｍと１０μｍとの間、好適には８μｍである。ロッドの端面の最大寸法は、２μｍ未満、好適には１μｍ以下（１μｍより小さいか１μｍに等しい）である。
【００３０】
エレクトロルミネセンスロッドを形成する際、ピクセル化光源の或る領域と別の領域との間で、対応する領域の輝度をこれを形成するロッドの平均高さを増加させることで高くするように、高さを変更できることを理解されたい。したがって、１ミリメートル未満寸法のエレクトロルミネセンスロッドを含む同一の半導体光源を形成している２つのグループにおいて、或るグループのエレクトロルミネセンスロッドは、別のグループのエレクトロルミネセンスロッドとは異なる単数または複数の高さを有し得る。また、エレクトロルミネセンスロッドの形状は、或るモノリシックマトリックスアレイと別のものとの間で、特にロッドの断面に亘って、および端面の形状に亘って変化し得る。ロッドは、全体として円筒形であるが、特に多角形の、より具体的には六角形の断面を有し得る。周壁を通過して発光可能である光にとって、周壁が多角形また円形の形状を有することが重要であることを理解されたい。
【００３１】
更に、端面は、実質的に平面的であるとともに周壁に対して垂直な形状を有し得る。これにより、端面は、基板の上面と実質的に平行に延びる。或いは、端面から出射する光の発光方向を増加させるように、端面は、中央において湾曲した、または尖った形状を有し得る。
【００３２】
エレクトロルミネセンスロッドは、二次元のマトリックスアレイに配置されている。この構成は、ロッドが五の目型に配置されるようなものであり得る。一般に、ロッドは、基板上に一定の間隔で配置される。マトリックスアレイの各寸法において、２つの隣接するエレクトロルミネセントロッドの離間距離は、少なくとも２μｍに等しい、好適には３μｍと１０μｍとの間であるべきである。これにより、各ロッドの周壁を通過して発光する光が、エレクトロルミネセンスロッドのマトリックスアレイから出射することができる。更に、隣接するロッドの２つの伸長軸の間で測定されるこのような離間距離は、１００μｍを超えないことが想定される。
【００３３】
別の実施形態によれば、モノリシックマトリックスアレイは、例えば炭化珪素から作製された単一の基板であって、（研削および／またはアブレーションにより）スライスされて同一基板からそれぞれ生じる複数の基本エミッタを形成する基板上のエピタキシャルエレクトロルミネセンス素子の層、具体的には、ｎドープＧａＮの第１層およびｐドープＧａＮの第２層によって形成されたエレクトロルミネセンス素子を備え得る。このような設計の結果として、同一基板から全て生じる複数のエレクトロルミネセンスブロックであって、互いに選択的に作動され得るように電気的に接続されたエレクトロルミネセンスブロックが得られる。
【００３４】
このような他の実施形態による１つの例示的な実施形態において、モノリシックマトリックスアレイからなる基板は、１００μｍと８００μｍとの間、特に２００μｍに等しい厚さを有し得る。各ブロックは、それぞれ５０μｍと５００μｍとの間、好適には１００μｍと２００μｍとの間である幅および幅を有し得る。一変形例において、長さと幅とは等しい。各ブロックの高さは、５００μｍ未満、好適には３００μｍ未満である。最後に、各ブロックの出射面は、基板のエピタキシーの反対側を介して形成され得る。２つの基本エミッタの間の離間距離。各連続する基本エミッタ間の距離は、１μｍ未満、特に５００μｍ未満であり得るが、好適には２００μｍ未満である。
【００３５】
上述のように同一の基板から延びてそれぞれ突出するエレクトロルミネセントロッドと、同一の基板に重ねられたエレクトロルミネセンス層をスライスすることにより得たエレクトロルミネセンスブロックとの両方を有する図示しない別の実施形態によれば、モノリシックマトリックスアレイは、エレクトロルミネセンス素子が少なくとも部分的に埋め込まれたポリマー材料からなる層を更に備え得る。したがって、層は、基板の全範囲に亘って、またはエレクトロルミネセンス素子の所与のグループの周囲にのみ延び得る。特にシリコーンベースであり得るポリマー材料は、光線の拡散を損なうことなくエレクトロルミネセンス素子を保護可能な保護層を形成する。更に、ポリマー材料からなるこの層に、素子の１つにより発光された光線の少なくとも一部を吸収可能であるとともに、前記吸収された励起光の少なくとも一部を、励起光の波長とは異なる波長を有する発光光に変換可能である波長変換手段、例えば発光団を組み込むこともできる。同様に、発光団をポリマー材料の塊に埋め込む、または更にこのポリマー材料からなる層の表面に配置することも想定される。
【００３６】
ピクセル化光源は、光線を光源の出射面に偏向させる反射材料のコーティングを更に備え得る。
【００３７】
１ミリメートル未満寸法のエレクトロルミネセンス素子は、基板に実質的に平行な平面に所与の出射面を規定する。この出射面の形状は、これを形成するエレクトロルミネセンス素子の個数および配置に応じて定義されることを理解されたい。したがって、実質的に矩形の発光面を規定することができる。発光面は、本発明の文脈から逸脱することなく変更可能であって任意の形状を採り得ることを理解されたい。
【００３８】
発光可能な単数または複数のモノリシックマトリックスアレイは、制御ユニットに連結され得る。制御ユニットは、単数または複数のマトリックスアレイに取り付けられ得る。したがって、この組み合わせ体は、照明サブモジュールを形成する。本例において、制御ユニットは、メモリに連結された中央処理ユニットを備え得る。メモリには、プロセッサに光源を制御するための信号を生成するステップを実施させる命令を含むコンピュータプログラムが格納されている。制御ユニットは、集積回路、例えばＡＳＩＣ（「特定用途向け集積回路」の頭文字）またはＡＳＳＰ（「特定用途向け標準製品」の頭文字）であり得る。
【００３９】
本発明の第１変形実施形態によれば、前記第１ピクセル化エレクトロルミネセンス光源および前記第２ピクセル化エレクトロルミネセンス光源は、同一サイズの発光面を有する基本エミッタを有する。前記第１モジュールは第１光学投影システムを更に備えるとともに、前記第２モジュールは第２光学投影システムを備える。前記第２ピクセル化部分ハイビームの解像度が前記第１ピクセル化部分ハイビームのものより高くなるように、前記第２光学投影システムの倍率は、前記第１光学投影システムのものより小さい。
【００４０】
前述のものに代わる第２変形例によれば、前記第２ピクセル化エレクトロルミネセンス光源は基本エミッタを有し、前記基本エミッタの発光面は、前記第１ピクセル化エレクトロルミネセンス光源のものたちのものよりサイズが小さい。前記第１モジュールは第１光学投影システムを更に備えるとともに、前記第２モジュールは第２光学投影システムを備える。前記第２ピクセル化部分ハイビームの解像度が前記第１ピクセル化部分ハイビームのものより高くなるように、前記第２光学投影システムの倍率は、前記第１光学投影システムのものに等しいかこれより小さい。
【００４１】
本発明の１つの有利な実施形態によれば、前記第１ピクセル化エレクトロルミネセンス光源および／または前記第２ピクセル化エレクトロルミネセンス光源は、矩形の全発光面を有する。これにより、発光面のアスペクト比を変更したり、自動車両の照明に適した寸法の投影ビームを得たりすることを目的として、アナモフィック光学投影システムを使用する必要が有利に回避される。
【００４２】
また、本発明は、上述の実施例乃至変形例の１つによる少なくとも１つの照明装置を備える自動車両に関する。
【００４３】
本発明の他の特徴および利点は、実施例および図面の説明からより良く理解されるであろう。
【図面の簡単な説明】
【００４４】
【図１】本発明の好適な実施形態による照明装置の正面図。
【図２】図１の平面図。
【図３】本発明による照明装置により投射される光ビームの第１の構成を示す図。
【図４】本発明による照明装置により投射される光ビームの別の構成を示す図。
【発明を実施するための形態】
【００４５】
図１および２は、本発明の実施形態による照明装置１を示す。この照明装置は、第１おピクセル化されたハイビーム（ピクセル化ハイビーム）ＨＢ１を投影可能な第１照明モジュール２と、第２のピクセル化部分ハイビームＨＢ２を投影可能な第２照明モジュール３と、を備えている。照明装置１から２５ｍに配置されたスクリーンに投影された第１および第２のピクセル化ビームＨＢ１およびＨＢ２を図３および４に示す。水平方向を示す水平方向軸Ｈ‐Ｈ、およびこの水平方向軸Ｈ−Ｈに対して垂直であるとともに照明装置１の光軸Ｘに交差する鉛直方向軸Ｖ−Ｖが形成されている。
【００４６】
第１モジュール２は、
‐  例えば、２０行×４５列のマトリックスアレイに配置された９００個の基本エミッタであってそれぞれが基本光ビームを発光するように選択的に作動され得る基本エミッタを備えたピクセル化エレクトロルミネセンス光源２１と、
‐  １°の幅および高さを有するピクセルの形態において前記基本光ビームのそれぞれを投射するための、前記光源に関連付けられた光学投影システム２２と、
を備えている。
【００４７】
記載された例において、上述のように、光源２１は、エレクトロルミネセンス素子のモノリシックマトリックスアレイを備えている。
【００４８】
ピクセル化エレクトロルミネセンス光源２１に代えて、例えば発光ダイオードのマトリックスアレイ等、上述とは別のタイプのピクセル化エレクトロルミネセンス光源を用いることも想定され得る。
【００４９】
第１モジュール２により投影されるピクセルのセットは、前記第１ピクセル化ハイビームＨＢ１を形成する。このビームＨＲは、２５°の水平方向幅、および９°の鉛直方向幅を有している。このビームは、鉛直方向軸Ｖ‐Ｖの両側に対照的に延びている。
【００５０】
第１照明モジュールは、少なくとも１つのピクセル化エレクトロルミネセンス光源２１を備えている。第１照明モジュールは、１つ、２つ、または３つのピクセル化エレクトロルミネセンス光源２１を備え得る。これにより、非常に大きな水平方向範囲を有する第１のピクセル化部分ハイビームＨＢ１を得ることができる。
【００５１】
第１照明モジュール２は、上述以外の要素を備え得る。このような要素は、本発明による構成と機能的に相互作用しないため、本発明の文脈では説明しない。
【００５２】
第２照明モジュール３は、第１照明モジュール２と構造的に類似している。
【００５３】
第２照明モジュール３は、
‐  例えば、２０行×４５列のマトリックスアレイに配置された９００個の基本エミッタであって、それぞれが基本光ビームを発光するように選択的に作動され得る基本エミッタを備えたピクセル化エレクトロルミネセンス光源３１と、
‐  ０．３°の幅および高さを有するピクセルの形態において前記基本光ビームのそれぞれを投射するための、前記光源に関連付けられた光学投影システム３２と、
を備えている。
【００５４】
照明装置は、相補的なロービームＬＢを生成することが意図された追加のモジュール４を備えている。
【００５５】
追加のモジュール４は、
‐  選択的に作動され得るとともに行に沿って配置され得る９個の発光ダイオードであって、それぞれが基本光ビームを発光可能な発光ダイオードを備えた基本エミッタからなるマトリックスアレイ４１と、
‐  マトリックスアレイ３１の前方に配置された複数４２の一次光学要素であって、各発光ダイオードから発生した基本光ビームを集光、フォーマットおよびガイドするための一次光学要素と、
‐  ３°の横幅および５°の長さを有するピクセルの形態において前記一次光学要素から生じた前記基本光ビームのそれぞれを投射するように前記一次光学要素の前方に配置された投影光学システム４３と、
を備えている。
【００５６】
特に、このようなモジュールの動作原理について説明している文献ＦＲ３０５６６９２を参照されたい。
【００５７】
したがって、第２のピクセル化ビームは、ピクセル化ロービームを形成する。
【００５８】
最後に照明装置１は、制御ユニット５を備えている。制御ユニット５は、受信した制御命令に基づいて、例えば、光源２１および３１の基本エミッタをオンにしたり選択的にオフにする、または更にこれらの基本エミッタのそれぞれに供給される電力を増減させることにより、例えば第１および第２ビームＨＢ１およびＨＢ２の各ピクセルの光強度を選択的に制御可能である。
【００５９】
本発明の第１構成によれば、図３に示すように、第１および第２照明モジュール２および３は、第１および第２ビームＨＢ１およびＨＢ２が少なくとも部分的に重なるように構成されている。本例において、第２ビームＨＢ２は、第１ビームＨＢ１に含まれている。
【００６０】
本発明の別の構成によれば、図３に示すように、第１および第２照明モジュール２および３は、第１および第２ビームＨＢ１およびＨＢ２が隣接するように構成されている。本例において、第２ビームＨＢ２は、複数のサブエリアに分割された第１ビームＨＢ１内でフレーミングされている。これらのサブエリアのそれぞれは、専用のピクセル化エレクトロルミネセンス光源２１により生成され得る。図示例において、ピクセル化ハイビームＨＢ１のフィールドおよび形状をカバーするように３つのピクセル化光源が存在している。
【図１】
2021520604.tif 000003
【図２】
2021520604.tif 000004
【図３】
2021520604.tif 000005
【図４】
2021520604.tif 000006
【国際調査報告】
2021520604.tif 000007
2021520604.tif 000008
2021520604.tif 000009
2021520604.tif 000010
2021520604.tif 000011
2021520604.tif 000012